(57)【特許請求の範囲】
【請求項１】
空気吸込口と空気吹出口とを有し、上記空気吸込口と上記空気吹出口とを結ぶ空気通路内に冷凍サイクルに含まれる熱交換器と送風機とが配置されている室内機筐体を備え、上記室内機筐体内で上記熱交換器の一方の側面側には室内の空気を入れ換える換気ユニットが設けられている空気調和機において、
上記換気ユニットは、排気ファン収納部および上記排気ファン収納部に連通し室内空気を室外に排気する排気通路を含む排気ケーシングと、給気ファン収納部および上記給気ファン収納部に連通し室外空気を室内に供給する給気通路を含む給気ケーシングとを備え、
上記排気ケーシングと上記給気ケーシングは、それらの排気ファン収納部と給気ファン収納部とが上記熱交換器の一方の側面を含む平面に沿って並置され、かつ、上記排気通路と上記給気通路とが仕切壁を挟んで対向的に配置されるように組み合わされており、上記仕切壁には排気と給気とを熱交換する換気用熱交換手段が設けられていることを特徴とする空気調和機。
【請求項２】
上記熱交換器の他方の側面側には、上記冷凍サイクルを制御する電装品箱が支持されており、上記室内機筐体のほぼ中央に上記空気吹出口が形成されていることを特徴とする請求項１に記載の空気調和機。
【請求項３】
上記熱交換器を両端から支持する左右一対の熱交換器ホルダを備え、上記換気ユニットはいずれか一方の上記熱交換器ホルダに支持され、上記電装品箱はいずれか他方の上記熱交換器ホルダに支持されていることを特徴とする請求項１または２に記載の空気調和機。
【請求項４】
上記排気通路および上記給気通路は、底板と上記底板の側縁から立ち上がる側板を有する断面コ字状に形成され、一方の通路の底板を上記仕切壁として、上記一方の通路の底板に他方の通路の開放端側が組み合わされていることを特徴とする請求項１ないし３のいずれか１項に記載の空気調和機。
【請求項５】
上記熱交換手段が金属板からなることを特徴とする請求項１ないし４のいずれか１項に記載の空気調和機。
【請求項６】
上記金属板は、波形状に形成されていることを特徴とする請求項５に記載の空気調和機。
【請求項７】
上記排気通路には排気パイプが接続される排気ポートが設けられ、上記給気通路には給気パイプが接続される給気ポートが設けられており、上記排気ポートおよび上記吸気ポートに隣接して上記換気用熱交換手段が設けられていることを特徴とする請求項１ないし６のいずれか１項に記載の空気調和機。
【発明の詳細な説明】
【技術分野】
【０００１】
本発明は、空気調和機（室内機ユニット）に関し、さらに詳しく言えば、室内の空気と室外の空気を換気する換気機能を備えた空気調和機に関する。
【背景技術】
【０００２】
空気調和機（室内ユニット）には、一般的に上部に設けられた空気吸込口から吸い込んだ空気を途中の熱交換器で所定の温度に熱交換し、クロスフローファンによって下部に設けられた空気吹出口から室内空間に向けて吹き出す構造になっている。
【０００３】
ところで、空気調和機の使用中は部屋を閉め切っている場合が多い。そのため、使用中に室内で喫煙したり料理をしたりすると臭いが部屋に籠もりやすく、使用者に不快感を与えやすい。したがって、使用者は時折窓を開けて換気するようにしているが、窓を開けると冷却（または暖房）した空気が外に逃げてしまうおそれがある。
【０００４】
そこで、例えば室内機ユニットの一部に換気ユニットを設けて窓を開けることなく換気ができるようにした空気調和機が提案されている。例えば特許文献１には、室内機ユニットの上部に給気通路と換気通路とを備えた換気ユニットを備えた空気調和機が示されている。
【０００５】
これによれば、空気調和機の運転中も室内の空気が換気され、常に室内には新鮮な空気が循環されるため、タバコを吸ったり料理をしても極端な不快感を覚えにくい。また、使用者が窓開けなどの作業負担から解放される。
【０００６】
しかしながら、上記特許文献１に示された空気調和機には次のような問題がある。すなわち、この換気ユニットは空気調和機を駆動するための配管類（電力線やドレンホースなど）を室外に引き出すための引出孔と換気ユニット用の２箇所の換気孔をそれぞれ別に壁に開ける必要があり、設置工事が大変なばかりではなく、特に集合住宅などにおける居住者は使用しにくい。
【０００７】
また、換気ユニットは空気調和機の上部に設置されているため、室内機ユニットそのものを専用設計する必要があり、その分コストが嵩むし、設置スペースも増える。さらに、換気ユニットのファンが室内機ユニットの前面側に向いて設置されているため、換気ファンの駆動中はファンの騒音が部屋に漏れやすい。
【０００８】
【特許文献１】特開昭６２−２６８９４３号公報
【発明の開示】
【発明が解決しようとする課題】
【０００９】
そこで、本発明は上述した課題を解決するためになされたものであって、その目的は室内機ユニットを大型化することなく、換気機能を備えた空気調和機を提供することにある。
【課題を解決するための手段】
【００１０】
上述した目的を達成するため、本発明は以下に示すいくつかの特徴を備えている。まず、請求項１に記載の発明は、空気吸込口と空気吹出口とを有し、上記空気吸込口と上記空気吹出口とを結ぶ空気通路内に冷凍サイクルに含まれる熱交換器と送風機とが配置されている室内機筐体を備え、上記室内機筐体内で上記熱交換器の一方の側面側には室内の空気を入れ換える換気ユニットが設けられている空気調和機において、上記換気ユニットは、排気ファン収納部および上記排気ファン収納部に連通し室内空気を室外に排気する排気通路を含む排気ケーシングと、給気ファン収納部および上記給気ファン収納部に連通し室外空気を室内に供給する給気通路を含む給気ケーシングとを備え、上記排気ケーシングと上記給気ケーシングは、それらの排気ファン収納部と給気ファン収納部とが上記熱交換器の一方の側面を含む平面に沿って並置され、かつ、上記排気通路と上記給気通路とが仕切壁を挟んで対向的に配置されるように組み合わされており、上記仕切壁には排気と給気とを熱交換する換気用熱交換手段が設けられていることを特徴としている。
【００１１】
請求項２に記載の発明は、上記請求項１において、上記熱交換器の他方の側面側には、上記冷凍サイクルを制御する電装品箱が支持されており、上記室内機筐体のほぼ中央に上記空気吹出口が形成されていることを特徴としている。
【００１２】
請求項３に記載の発明は、上記請求項１または２において、上記熱交換器を両端から支持する左右一対の熱交換器ホルダを備え、上記換気ユニットはいずれか一方の上記熱交換器ホルダに支持され、上記電装品箱はいずれか他方の上記熱交換器ホルダに支持されていることを特徴としている。
【００１３】
請求項４に記載の発明は、上記請求項１ないし３のいずれか１項において、上記排気通路および上記給気通路は、底板と上記底板の側縁から立ち上がる側板を有する断面コ字状に形成され、一方の通路の底板を上記仕切壁として、上記一方の通路の底板に他方の通路の開放端側が組み合わされていることを特徴ととしている。
【００１４】
請求項５に記載の発明は、上記請求項１ないし４のいずれか１項において、上記熱交換手段が金属板からなることを特徴としている。
【００１５】
請求項６に記載の発明は、上記請求項５において、上記金属板は、波形状に形成されていることを特徴としている。
【００１６】
請求項７に記載の発明は、上記請求項１ないし６のいずれか１項において、上記排気通路には排気パイプが接続される排気ポートが設けられ、上記給気通路には給気パイプが接続される給気ポートが設けられており、上記排気ポートおよび上記吸気ポートに隣接して上記換気用熱交換手段が設けられていることを特徴としている。
【発明の効果】
【００１７】
本発明によれば、熱交換器の熱交換器ホルダの横にあるスペースに換気ユニットを組み込んだことにより、熱交換器を熱交換器ホルダで支持するタイプの空気調和機であれば、特に専用のケーシングを設計などすることなく、換気ユニットを組み込むことができる。また、他方の熱交換器ホルダに電装品箱を支持させたことにより室内機筐体がシンメトリー構造となり、その結果空気吹出口が中央に形成され、意匠的にも綺麗にまとまる。
【００１８】
また、室内の汚れた空気を排気する排気通路と室外の新鮮な空気を室内に取り込む給気通路とを設け、さらにそれら空気を熱交換することにより、室内の温度を変えることなく、空気の循環を行うことができる。
【００１９】
また、底板の両端縁から開放端に向かってほぼ垂直に延びる側壁を有するいわゆる断面コ字状に形成されたケーシングを一方の底部に他方の開放部を合致させることにより、独立した２つの空間を簡単に形成することができる。
【００２０】
また、給気通路と排気通路の間を仕切る仕切壁の一部を銅板やアルミ板など熱伝導率のよい金属板としたことにより、専用の熱交換器を用いなくとも、金属板で熱交換することができる。また、熱交換板を波形状にして表面積を増やすことにより、より熱交換効率を向上させることができる。
【００２１】
また、給気ポートと排気ポートに隣接して換気用熱交換手段（熱交換器）が配置されていることにより、換気ユニット内に給気された空気をすぐに熱交換できるため、給気と排気の温度差が高い状態で熱交換できるため熱交換効率がよくい。また、換気ユニット内での結露を防ぐことができる。
【発明を実施するための最良の形態】
【００２２】
次に、本発明の実施形態について図面を参照しながら説明する。図１は本発明の一実施形態に係る空気調和機（室内機ユニット）の化粧パネルを取り外した状態の斜視図である。
【００２３】
この空気調和機（室内機ユニット）１は図示しない取付金具を介して壁面に取り付けられるベースパネル１００と、ベースパネルの上面から前面にかけてを覆うようにベースパネル１００に取り付けられる化粧パネル２００とを備えており、いずれも合成樹脂の成型品からなる。
【００２４】
ベースパネル１００は全体が断面Ｌ字状に形成されており、送風ファンとしてのクロスフローファン（図示しない）や熱交換器ユニット２、ドレンパン（図示しない）などが格納されている。ベースパネル１００の両端には熱交換器ユニット２を支持する熱交換器ホルダ３，３が左右一対に設けられており、この熱交換器ホルダの間に熱交換器ユニット２が掛け渡されている。
【００２５】
この例において、熱交換器ユニット２は３つの熱交換器ユニット２１〜２３をほぼラムダ（Λ）型に組み合わせて連結したものからなり、クロスフローファンを覆うように取り付けられている。
【００２６】
前面側熱交換器ユニット２１，２２と背面側熱交換器ユニット２３とは、その頂部が遮風板２４によって連結されている。遮風板２４は、吸い込まれる空気が熱交換器ユニット２をバイパスしないようにするために設けられており、併せて熱交換器２の上部に配置されるエアフィルタのフィルタガイドとしても機能している。
【００２７】
ベースパネル１００の一方の熱交換器ホルダ３（図１では右側）の隣には、室内機ユニット１を駆動するための各種電源装置や電子部品などが格納された電装品箱４が設けられている。ベースパネル１００の他方の熱交換器ホルダ３（図１では左側）の隣には、室内の空気を換気する換気ユニット３００が設けられている。
【００２８】
ベースパネル１００の下面側には、クロスフローファンの送風作用によって空気を室内に向けて送出するための空気吹出口１１０が形成されている。空気吹出口１１０には、空気の吹出方向を変えるための上下風向板および左右風向板のほかに、例えば急速暖房もしくは急速冷房運転時に床方向に向かって開くディフューザー（ともに図示しない）が設けられてよい。
【００２９】
ベースパネル１００には熱交換器ユニット２を覆うように化粧パネル２００が取り付けられる。化粧パネル２００は後端側に設けられた図示しない係止爪を介してベースパネル１００の上端に固定され、室内機ユニット１の外観を構成している。
【００３０】
この例によると、化粧パネル２００にはほぼ全面にわたって空気吸込口２１０が設けられている。空気吸込口２１０はグリル桟状に形成されてよく、その開口面積は熱交換器ユニット２の上部投影面積よりも大きいことが好ましい。化粧パネル２００の空気吸込口２１０の内側には空気中のゴミを捕捉するエアフィルタ（図示しない）が着脱可能に設けられている。
【００３１】
これによれば、熱交換器２を挟んでベースパネル１００の両側に電装品箱４と換気ユニット３００とが相対的に配置されることにより、室内機ユニット１の中央に空気吹出口１１０が形成され、室内機ユニット１がシンメトリー構造となり、意匠的にも綺麗にまとめることができる。
【００３２】
本発明において、ベースパネル１００および化粧パネル２００の構成は熱交換器２を熱交換器ホルダ３，３で支持する構造であれば、その他の構成は任意であってよく、その具体的な構成についての説明は省略する。
【００３３】
次に、図２〜図６を参照して、換気ユニット３００について説明する。換気ユニット３００は空気吸込口２１０から吸い込まれた空気の一部を室外に排気する排気ユニット３１０と、室外空気を室内機ユニット１を介して室内に供給する給気ユニット３３０とを備えている。換気ユニット３００は合成樹脂の成型品からなる。
【００３４】
図３および図４に示すように、この換気ユニット３００は排気ケーシング３２０、給気ケーシング３４０および蓋ケーシング３５０の３つのケーシング部材を備えている。排気ケーシング３２０および給気ケーシング３４０は断面コ字状（底板の両端縁から開放端に向かってほぼ垂直に延びる側壁を有する形状）に形成されており、排気ケーシング３２０の底部に給気ケーシング３４０の開放端を組み合わせることにより、内部に排気経路と給気経路とがそれぞれ独立して形成されるようになっている。
【００３５】
排気ケーシング３２０は、排気ファン３６０が収納されるファン収納部３２２と、排気ファン３６０によって吸い出された空気が通る排気通路３２３と、排気通路３２３を通ってきた空気を排出する排気ポート３２４とを備え、排気通路は仕切壁５０を挟んで一方の面に形成されている。
【００３６】
ファン収納部３２２は排気ファン３６０が収納可能な円筒状に形成されており、その中央には吸気口３２５が設けられている。吸気口３２５は排気ファン３６０の回転軸に対して同軸的に形成されており、排気ファン３６０を駆動することにより、空気吸込口２１０から吸い込まれた空気の一部が吸気口３２５から吸い込まれる。
【００３７】
排気ファン３６０は、ファン収納部３２２の周縁に沿って嵌め合わせられるベース板３６１を有し、ベース板３６１の中央に駆動モータ３６２が一体的に取り付けられている。駆動モータ３６２の回転軸にはラジアルファン３６３が一体的に取り付けられている。ファン収納部３２２はベース板３６１によって塞がれることで、密閉空間を形成している。
【００３８】
排気通路３２３は一端がファン収納部３２２に向かってほぼ直角に開放され、他端が仕切壁５０に沿って下側に延びており、排気ポート３２４に接続されている。排気通路３２３のほぼ中央には換気用熱交換器３７０が収納される開口部３２６が形成されており、ここに換気用熱交換器３７０の排気側熱交換室３７１が格納される。
【００３９】
排気ポート３２４は、換気ユニット３００の背面側（壁面側）に向けて形成されている。この排気ポート３２４には、図示しない排気パイプに連結される連結パイプ３２４ａがジョイント部材３２４ｂを介して接続される。
【００４０】
これらファン収納部３２２、排気通路３２３および排気ポート３２４は、仕切壁５０の周縁に沿って垂直に立設された側壁により囲まれた凹部であり、そこに蓋ケーシング３５０を被せることによって密閉空間が形成される。
【００４１】
蓋ケーシング３５０は排気ケーシング３２０の一方の側面（図３では左側面）に沿って取り付けられる板状体からなる。蓋ケーシング３５０には排気ポート３２４と給気ポート３４６に合致するポートメンバー３５１，３５２が２箇所設けられており、この各ポートメンバー３５１，３５２が排気ポート３２４と給気ポート３４６とに合致することにより、円筒状に形成される。
【００４２】
次に、給気ケーシング３４０は、給気ファン３８０が収納されるファン収納部３４２と、ファン収納部３４２から送り出された空気が流れる吸気通路３４３と、室内機ユニット１の内部に向けて空気を吹き出す吐出口３４４とが設けられている。給気通路は仕切壁５０を挟んで排気通路の他方の面に形成されている。
【００４３】
ファン収納部３４２は給気ファン３８０が収納可能な円筒状に形成されており、その中央には吸気口３４５が設けられている。吸気口３４５は給気ファン３８０の回転軸に対して同軸的に形成されており、外気を取り込む給気ポート３４６に連通している。給気ファン３８０を駆動することにより、給気ポート３４６から吸い込まれた空気が吸気口３４５に吸い込まれる。
【００４４】
排気側の吸気口３２５は、図２に示すように、Λ型熱交換器２の頂部（遮風板２４）を挟んで背面側熱交換器ユニット２３側に向けて開口されており、空気吸込口２１０を通って背面側熱交換器ユニット２３を通る前の空気を吸い込むようになっている。
【００４５】
給気ファン３８０はファン収納部３４２の周縁に沿って嵌め合わせられるベース板３８１を有し、ベース板３８１の中央に駆動モータ３８２が一体的に取り付けられている。駆動モータ３８２の回転軸にはラジアルファン３８３が一体的に取り付けられている。ファン収納部３４２はベース板３８１によって塞がれることで、密閉空間を形成している。この例において、給気ファン３８０と排気ファン３６０は同じ形状および構成からなる。
【００４６】
給気通路３４３は一端が給気ファン３８０のファン収納室３４２に接続され、他端が仕切壁３４１に沿って上部に延び吐出口３４４に接続されている。この給気通路３４３には換気用熱交換器３７０の吸気側熱交換室３７２が格納される。
【００４７】
吐出口３４４は図２に示すように、Λ型熱交換器２の頂部（遮風板２４）を挟んで前面側熱交換器ユニット２２側に向けて開口されている。これによれば、上記吸気口３４５と吐出口３４４は熱交換器２の頂部を挟んで前面側と背面側に分けて配置されていることにより、吐出された空気がそのまま吸気口３２５に吸い込まれることがない。
【００４８】
この吸気ケーシング３４０は上記排気ケーシング３２０の他方の面に一体的に取り付けられることにより、排気ケーシング３２０の他方の面を塞ぐ蓋として用いられる。このとき、排気ケーシング３２０と給気ケーシング３４０の給気ファン収納部３４２との間には給気フィルタ３４７が差し込まれるフィルタ室３４６が形成される。
【００４９】
フィルタ室３４６は給気ファン収納部３４２の裏面（図３側）に設けられたスペーサ３４８が排気ケーシング３２０に当接することで所定の幅をもって形成され、そこに給気フィルタ３４６を差し込み可能な状態で取り付けられる。
【００５０】
図５に示すように、換気用熱交換器３７０は中央に配置された仕切板３７３を挟んで２つの熱交換室３７１，３７２が形成されており、一方の熱交換室３７１が排気側、他方の熱交換室３７２が給気側とされている。換気用熱交換器３７０はアルミなどの高熱伝導率を有する金属材料からなり、各熱交換室３７１，３７２には熱交換用のフィンが多数設けられている。
【００５１】
これによれば、排気側熱交換室３７１を流れる空気からフィンで熱を奪い、奪われた熱はフィンから仕切板３７３を介して他方の給気側熱交換室３７２に伝播され、給気側熱交換室３７２側のフィンから給気通路３４３を流れる空気に対して熱交換される。
【００５２】
再び図２を参照して、換気ユニット３００の側面（給気ケーシング３４０側）には、換気ユニット３００を熱交換器２の熱交換器ホルダ３に沿って取り付けるための３箇所のネジ止め部３０１，３０２，３０３が設けられている。
【００５３】
これに対して、熱交換器ホルダ３には各ネジ止め部３０１〜３０３に対応するネジ孔３１〜３３が３箇所設けられており、これらを互いに位置合わせした状態でネジ止めすることで、換気ユニット３００が熱交換器ホルダ３に対して取り付けられる。
【００５４】
換気ユニット３００には熱交換器ホルダ３に取り付ける際の位置決め手段としてのガイドリブ３０４が設けられている。ガイドリブ３０４は断面Ｌ字状に形成されており、ベースパネル１００のパネル側板１２０の端部１２１に沿うように形成されている。
【００５５】
これによれば、換気ユニット３００のガイドリブ３０４をパネル側板１２０の端部１２１に沿って取り付けることで、換気ユニット３００の取付位置決めを簡単に行うことができる。
【００５６】
最後に排気ポート３２４と給気ポート３２６とに排気パイプおよび給気パイプ（ともに図示しない）を接続することにより、１つの壁孔で全ての配管類を室外に引き出すことができる。
【００５７】
次に、図６を参照して、この換気ユニット３００の換気手順の一例について説明する。空気調和機１の運転中または運転停止時にリモコンなどに設けられた換気ボタンを操作すると、図示しない制御手段は換気ユニット３００に駆動開始命令を出す。
【００５８】
排気ユニット３１０が駆動開始命令を受けると、排気ユニット３１０の排気ファン３６３が起動される。排気ファン３６０の駆動により、空気吸込口１１０から吸い込まれた空気の一部が排気口３２５から吸い込まれる。
【００５９】
排気口３２５から取り入れられた空気は排気ファン３６０の中心からラジアル方向に向かって吹き出され、そのまま排気通路３２３に導入される。このとき、排気通路３２３に設けられた換気用熱交換器３７０の排気側熱交換室３７１を通る際に熱交換される。
【００６０】
熱交換された空気は排気通路３２３を通って換気ユニット３００の下側まで流れ、背面側に設けられた排気ポート３２４から排気される。排気ポート３２４から出た空気は図示しない排気パイプを通って室外に放出される。
【００６１】
他方の給気ユニット３３０が駆動命令を受けると、給気ユニット３００の給気ファン３８０が起動され、図示しない給気パイプに接続された給気ポート３２６から室外の空気が吸い込まれる。
【００６２】
給気ポート３２６から給気ユニット３１０内に入った空気は、まず給気フィルタ３４７によって空気中に含まれるゴミが取り除かれ、吸気口３４５から給気ファン３８０に取り込まれる。
【００６３】
吸気口３４５に入った空気は、給気ファン３８０の中心からラジアル方向に向かって吹き出され、そのまま給気通路３４３に導かれる。このとき、給気通路３４３を通る空気は、途中に設けられた換気用熱交換器３７０の給気側熱交換室３７２を通ることで排気側空気と熱交換される。
【００６４】
熱交換された空気は給気通路３４３を通って上部側まで持ち上げられた後、吐出口３４４から室内機ユニット１の前面側熱交換器３２の上面側に向けて排出される。排出された空気は、熱交換器３を通って熱交換された後、空気吹出口１１０から室内に向けて吹き出される。
【００６５】
なお、この換気ユニット３００の換気手順は室内機ユニット１の駆動中に行われてもよいし、停止中に行われてもよい。また、換気ユニット３００のうち、一方の排気ユニット３１０のみを駆動させてもよいし、給気ユニット３３０のみを駆動させてもよい。
【００６６】
次に、図７および図８を参照して、換気ユニット３００の変形例について説明する。なお、上記実施形態と同一もしくは同一と見なされれる箇所には同じ参照符号を付し、その説明は省略する。
【００６７】
換気ユニット３００は、給気通路３２３と排気通路３４３とを仕切る仕切壁５０Ａの一部（図７の網掛け部）が例えばアルミニウム合金などの熱伝導率の高い金属板によって構成されている。この例において、金属製の仕切壁５０Ａは他の合成樹脂ハウジングに対して一体的に成型されているが、ネジ止めなどで取り付けられていてもよい。
【００６８】
これによれば、図８（ａ）に示すように、給気通路３２３側を流れる給気と、排気通路３４３側を流れる排気とが金属製の仕切壁５０Ａを介して熱交換されるため、専用の熱交換器を設けなくても効率的に熱交換を行うことができる。
【００６９】
また、より好ましい態様として、図８（ｂ）に示すように、仕切り板７０Ｂを波形状にすることがよい。これによれば、仕切り板７０Ｂを波形状としたことで、仕切り板７０Ｂの表面積が増え、より熱交換効率を高めることができる。
【００７０】
熱交換は給気と排気の温度差が大きい方が効率的に好ましい。しかしながら、仕切壁５０（５０Ａ，５０Ｂ）の熱交換部は、排気通路３２３と給気通路３４３のほぼ中間地点に位置しているため、給気および排気の一部は熱交換部に達する前にハウジングなどによって熱交換されてしまうおそれがある。また、熱交換ユニット３００の表面に結露などを生じるおそれもある。
【００７１】
そこで、図９に示すように、排気通路３２３の排気ポート３２４と、給気通路３４３の給気ポート３２６とに隣接して換気用熱交換器３７０Ａが設けられていることが好ましい。なお、換気用熱交換器３７０Ａの構成は上述した実施形態の熱交換器３７０と基本的には同じ構成である。
【００７２】
これによれば、室外の空気（給気）と室内の空気（排気）とが排気ポート３２４と給気ポート３２６とに隣接した換気用熱交換器３７０Ａによって熱交換されるため、給気と排気の温度差が大きく、熱交換効率がよい。また、換気ユニット３００に入った給気をすぐに熱交換することができるため、換気ユニット３００の表面に結露が生じるのを防ぐことができる。
【産業上の利用可能性】
【００７３】
以上、室外機と室内機とが分離されているスプリット型でシーリングウォール型の空気調和機の室内機ユニットを例にして本発明を説明したが、本発明はこれに限定されるものではない。本発明は、例えば床起き式空気調和機，一つの筐体内に室内機と室外機とを収納した一体型空気調和機，また、熱源で言えばガス燃焼式空気調和機，温水循環式空気調和機など、エアフィルタを有する空気調和機に広く利用することができる。
【図面の簡単な説明】
【００７４】
【図１】本発明の一実施形態に係る空気調和機（室内機ユニット）の分解斜視図。
【図２】室内機ユニットから換気ユニットとを取り外した状態の分解斜視図。
【図３】換気ユニットの分解斜視図。
【図４】換気ユニットの分解斜視図。
【図５】換気用熱交換器を説明するための説明図。
【図６】換気ユニットの換気経路を説明する動作説明図。
【図７】換気ユニットの第１変形例を説明する説明図。
【図８】（ａ）は上記第１変形例の仕切壁を説明する説明図、（ｂ）は仕切壁の変形例を説明する説明図。
【図９】換気ユニットの第２変形例を説明する説明図。
【符号の説明】
【００７５】
１  空気調和機（室内機ユニット）
２  熱交換器
３，３  熱交換器ホルダ
５０，５０Ａ  仕切壁
１００  ベースパネル
１２０  パネル側板
２００  化粧パネル
２１０  空気吸込口
３００  換気ユニット
３１０  排気ユニット
３２０  排気ケーシング
３３０  給気ユニット
３４０  給気ケーシング
３５０  蓋ケーシング
３６０  排気ファン
３７０，３７０Ａ  換気用熱交換器
３８０  給気ファン
【図１】
0004544419.tif 000002
【図２】
0004544419.tif 000003
【図３】
0004544419.tif 000004
【図４】
0004544419.tif 000005
【図５】
0004544419.tif 000006
【図６】
0004544419.tif 000007
【図７】
0004544419.tif 000008
【図８】
0004544419.tif 000009
【図９】
0004544419.tif 000010